(57)【特許請求の範囲】
【請求項１】
開口が設けられている引き戸本体と、
前記開口を開閉する開閉部と
を備える引き戸装置において、
前記開閉部は、
前記開口の上下方向の中途に配されており、前記引き戸本体の開閉方向に長い回転軸部と、
該回転軸部を中心に揺動し、前記開口の前記回転軸部よりも下側を開閉可能に閉鎖する第１フラップと、
前記回転軸部を中心に前記第１フラップと一体的に揺動し、前記第１フラップが前記下側を閉鎖する場合に前記開口の前記回転軸部よりも上側を開閉可能に閉鎖する第２フラップと
を有し、
前記開閉部は、
前記開口の内側周縁に配される枠体と、
該枠体に前記開閉方向に並設されており、前記回転軸部の両端部が回転可能且つ上下移動可能に挿入され、上下方向に長い２個の長穴と
を有し、
前記回転軸部は、自重によって前記長穴の下端部に配され、
前記回転軸部の前記長穴に沿った上下移動と前記第１フラップ及び第２フラップの上下移動とが連動することを特徴とする引き戸装置。
【請求項２】
前記開口は、ペットが通行するためのものであって、前記引き戸本体の下端部に設けられており、
前記第１フラップの上下方向の長さは前記第２フラップの上下方向の長さより長く、
前記第１フラップ及び第２フラップが前記開口を開放している場合、前記第１フラップ及び第２フラップは夫々前記開口から突出しており、該開口を通行しているペットから前記第１フラップに該第１フラップの前記開口からの突出方向とは異なる外力が加わったとき、前記第１フラップ及び第２フラップが上昇するようにしてあることを特徴とする請求項１に記載の引き戸装置。
【請求項３】
前記開口は、前記引き戸本体の開閉方向中心位置よりも戸先側に配されていることを特徴とする請求項１又は２に記載の引き戸装置。
【発明の詳細な説明】
【技術分野】
【０００１】
本発明は、開口が設けられている引き戸本体と、引き戸本体の開口を開閉する開閉部とを備える引き戸装置に関する。
【背景技術】
【０００２】
引き戸装置は、引き戸本体とフラップとを備える（特許文献１参照）。
引き戸本体は、人間が通行する開口（以下、大開口という）を開閉可能に閉鎖する。引き戸本体には開口（以下、小開口という）が設けられている。引き戸本体が大開口を閉鎖している場合、犬又は猫等のペットは小開口を通行する。以下では、引き戸本体による大開口の開閉方向を左右方向といい、引き戸本体に対面する方向を前後方向という。
フラップは、いわゆるペットドアであり、小開口を開閉可能に閉鎖する。このために、フラップの上部には、左右方向に長い回転軸部が配されている。フラップが回転軸部を中心に前後方向に揺動することによって、小開口が開閉される。
【０００３】
引き戸装置が片引き戸の場合、ペットが小開口を通行中に人間が引き戸本体を横移動させると、ペットが小開口の周縁部と大開口の周縁部との間に挟まれる虞がある。
そこで、特許文献１に記載の引き戸装置は、小開口の開放中に引き戸本体の横移動を強制的に中止させるストッパを備えている。
ストッパは上下方向に長い板状部材であり、引き戸本体にはストッパが収納される開口状の収納部が設けられている。回転軸部の一端部には延設軸部が延設されており、延設軸部はストッパの上下方向中央部に配されている。フラップの揺動に伴って、ストッパは延設軸部を中心に前後方向に揺動する。フラップが小開口を開放しているときには、ストッパの上下端部が収納部から前後両方向に突出している。
【０００４】
ペットが小開口を通行中に人間が引き戸本体を横移動させても、ペットが小開口の周縁部と大開口の周縁部との間に挟まれる前に、ストッパの上端部又は下端部が大開口の周縁部に当接する。故に、引き戸本体の横移動は強制的に中止させられる。この結果、ペットは安全に小開口を通過する。
引き戸装置を引き違い戸に適用する場合には、引き戸本体に２個の収納部が設けられ、回転軸部の両端部夫々に延設軸部が設けられ、各延設軸部にストッパが配される。
【先行技術文献】
【特許文献】
【０００５】
【特許文献１】特許第３８４３９７２号公報
【発明の概要】
【発明が解決しようとする課題】
【０００６】
しかしながら、特許文献１に記載の引き戸装置は、引き戸本体に複数個の開口（小開口及び少なくとも１個の収納部）を設ける必要があるので、構造が複雑である。また、延設軸部を設ける分だけ、長い回転軸部が必要である。以上の結果、引き戸装置の製造コストが高い。
【０００７】
本発明は斯かる事情に鑑みてなされたものであり、その主たる目的は、小開口を通行しているペットの安全を安価に向上させることができる引き戸装置を提供することにある。
【課題を解決するための手段】
【０００８】
本発明に係る引き戸装置は、開口が設けられている引き戸本体と、前記開口を開閉する開閉部とを備える引き戸装置において、前記開閉部は、前記開口の上下方向の中途に配されており、前記引き戸本体の開閉方向に長い回転軸部と、該回転軸部を中心に揺動し、前記開口の前記回転軸部よりも下側を開閉可能に閉鎖する第１フラップと、前記回転軸部を中心に前記第１フラップと一体的に揺動し、前記第１フラップが前記下側を閉鎖する場合に前記開口の前記回転軸部よりも上側を開閉可能に閉鎖する第２フラップとを有し、前記開閉部は、前記開口の内側周縁に配される枠体と、該枠体に前記開閉方向に並設されており、前記回転軸部の両端部が回転可能且つ上下移動可能に挿入され、上下方向に長い２個の長穴とを有し、前記回転軸部は、自重によって前記長穴の下端部に配され、前記回転軸部の前記長穴に沿った上下移動と前記第１フラップ及び第２フラップの上下移動とが連動することを特徴とする。
【００１０】
本発明に係る引き戸装置は、前記開口は、ペットが通行するためのものであって、前記引き戸本体の下端部に設けられており、前記第１フラップの上下方向の長さは前記第２フラップの上下方向の長さより長く、前記第１フラップ及び第２フラップが前記開口を開放している場合、前記第１フラップ及び第２フラップは夫々前記開口から突出しており、該開口を通行しているペットから前記第１フラップに該第１フラップの前記開口からの突出方向とは異なる外力が加わったとき、前記第１フラップ及び第２フラップが上昇するようにしてあることを特徴とする。
【００１１】
本発明に係る引き戸装置は、前記開口は、前記引き戸本体の開閉方向中心位置よりも戸先側に配されていることを特徴とする。
【００１２】
本発明にあっては、回転軸部が小開口の上下方向中央部に配されている。第１フラップは、小開口の回転軸部よりも下側（以下、下側開口という）を開閉可能に閉鎖し、第２フラップは、小開口の回転軸部よりも上側を開閉可能に閉鎖する。第１フラップが小開口を開放している場合、第２フラップも小開口を開放している。即ち、小開口の開放中は、第１フラップ及び第２フラップが、小開口から前後両方向に突出している。
【００１３】
ペットが小開口を通行中に人間が引き戸本体を横移動させても、ペットが小開口の周縁部と外部の部材（片引き戸の場合は大開口の周縁部。引き違い戸の場合はペットが小開口を通行中の引き戸本体以外の引き戸本体）との間に挟まれる前に、第１フラップ又は第２フラップが外部の部材に当接する。故に、引き戸本体の横移動は強制的に中止させられる。この結果、ペットは安全に小開口を通過する。
【００１４】
本発明にあっては、ペットが小開口を通過する場合、ペットから第１フラップ又は第２フラップに外力が加えられる。
第１フラップ及び第２フラップは、何れも引き戸本体のストッパとしても機能するので、適度の剛性を有している必要があるが、ペットから第１フラップ（又は第２フラップ）に外力が加えられた場合に第１フラップ及び第２フラップが上下移動すれば、第１フラップ（又は第２フラップ）からペットへの反作用が減少する。即ち、ペットの安全を更に向上させることができる。
【００１５】
本発明にあっては、下側開口を通行中のペットが、例えば下側開口を通過する前に後戻りした場合、ペットには第１フラップが当接する。
仮に、回転軸部が固定されていると、後戻りしたペットが硬い第１フラップに強く当接する虞がある。このとき、第１フラップからの反作用でペットが怪我をしたり痛い思いをしたりするかもしれない。
【００１６】
しかしながら、第１フラップは、後戻りしたペットに当接された場合に上昇する。何故ならば、後戻りしたペットが第１フラップに当接したときに、第１フラップを介して外力を受けた回転軸部が長穴に沿って上昇し、上昇する回転軸部と共に第１フラップも上昇するからである。
従って、後戻りしたペットが硬い第１フラップに当接したとしても、第１フラップからペットへの反作用を減少させることができる。故に、ペットが怪我をしたり痛い思いをしたりする虞がない。
【００１７】
本発明にあっては、小開口は、引き戸本体の開閉方向中央部よりも戸先側に配されている。つまり、小開口が引き戸本体の開閉方向中央部よりも戸尻側に配されている場合に比べて、小開口から外部の部材（大開口の周縁部又は他の引き戸本体）までの距離が長い。
【００１８】
従って、ペットが小開口を通行中に人間が誤って引き戸本体を横移動させても、第１フラップ又は第２フラップが外部の部材に当接する前に、人間がペットの存在に気付いて、自分で引き戸本体の横移動を停止させる可能性が高くなる。
換言すれば、第１フラップ又は第２フラップと外部の部材との当接の機会が減少するので、これらの当接による損傷又は破損等が抑制される。
【発明の効果】
【００１９】
本発明の引き戸装置による場合、引き戸本体に小開口以外の開口を設ける必要がないので、構造が簡易である。
しかも、回転軸部に延設軸部を設ける必要がないので、回転軸部の長さを短くすることができる。
以上の結果、小開口を通行しているペットの安全が向上された引き戸装置を、安価に製造することができる。
【図面の簡単な説明】
【００２０】
【図１】本発明の実施の形態に係る引き戸装置の構成を略示する正面図である。
【図２】引き戸装置が備える開閉部の構成を略示する正面図である。
【図３】開閉部の長穴と回転軸部とを略示する側面図である。
【図４】開閉部の回転軸部近傍の構成を略示する断面図である。
【図５】引き戸装置が備える引き戸本体が大開口を完全に閉鎖している状態を示す断面図である。
【図６】引き戸本体が大開口を完全に開放している状態を示す断面図である。
【図７】引き戸本体の横移動が強制的に中止させられた状態を示す断面図である。
【図８】引き戸本体の横移動が強制的に中止させられた状態を示す側面図である。
【図９】開閉部の扉体の上下移動を説明する側面図である。
【発明を実施するための形態】
【００２１】
以下、本発明を、その実施の形態を示す図面に基づいて詳述する。以下の説明では、図において矢符で示す上下、前後、及び左右を使用する。
【００２２】
図１は、本発明の実施の形態に係る引き戸装置１の構成を略示する正面図である。
引き戸装置１は片引き戸であり、引き戸本体１１、２個の引き手１２，１２、及び開閉部１３を備える。
まず、図１を参照しつつ引き戸本体１１及び引き手１２，１２について説明する。
【００２３】
引き戸本体１１は上下左右方向に延びる矩形板状をなす。引き戸本体１１は、左右方向に移動（横移動）することによって、後述する大開口４０を開閉可能に閉鎖する。即ち、引き戸本体１１による大開口４０の開閉方向は左右方向であり、引き戸本体１１に対面する方向は前後方向である。
本実施の形態の引き戸本体１１は上吊り式であるが、これに限定されず、例えば下レール式でもよい。
【００２４】
引き戸本体１１の前面及び後面には引き手１２，１２が１個ずつ配されている（図１に前面の１個のみ図示）。各引き手１２は、引き戸本体１１の左辺部（戸先側の長辺部）における上下方向中央部に配されている。本実施の形態の引き手１２は引き戸本体１１の前面（又は後面）に対して凹状の引き手であるが、これに限定されず、引き戸本体１１の前面（又は後面）に対して凸状の引き手でもよい。
【００２５】
引き戸本体１１の下辺部には小開口１１１（開口）が設けられている。小開口１１１は、人間が通行不可能なサイズの矩形状をなす。小開口１１１の左右方向の位置は、引き戸本体１１の左右方向中心位置よりも左側（戸先側）である。
【００２６】
次に、図１及び下記の図２〜図４を参照しつつ開閉部１３について説明する。
図２は、開閉部１３の構成を略示する正面図である。
図３は、開閉部１３の長穴２３と回転軸部３０とを略示する側面図である。
図４は、開閉部１３の回転軸部３０近傍の構成を略示する断面図である。
開閉部１３は、小開口１１１を開閉する。このために、開閉部１３は、枠体２及び扉体３を備えている。
【００２７】
まず、枠体２について説明する。
枠体２は矩形枠状をなし、各２本の縦枠２１，２１及び横枠２２，２２を有する。
縦枠２１，２１は、上端部同士及び下端部同士が横枠２２，２２によって連結されている。
枠体２は、小開口１１１の内側周縁に配される。このとき、縦枠２１，２１は小開口１１１の左辺部及び右辺部に配され、横枠２２，２２は上辺部及び下辺部に配される。
本実施の形態における枠体２は引き戸本体１１の外部から視認可能であるが、これに限定されず、例えば小開口１１１の周縁部によって目隠しされていてもよい。
【００２８】
各縦枠２１には長穴２３が１つずつ設けられている。長穴２３の長さ方向は上下方向、幅方向は前後方向、深さ方向は左右方向である。長穴２３は縦枠２１を左右方向に貫通する貫通孔状をなす。長穴２３の下端周縁部は半円状をなす。長穴２３の長さは50mm〜70mm程度である。
長穴２３の上端部は、縦枠２１の上端部に配されている。
長穴２３の下端部は、縦枠２１の上端部よりも下側、且つ、上下方向中心位置よりも上側にある。
下側の横枠２２には、図示しない永久磁石が配されている。
【００２９】
次に、扉体３について説明する。
扉体３は、回転軸部３０、第１フラップ３１、第２フラップ３２、及び連結部３３を有する。
回転軸部３０は、左右方向に長い円柱状をなす。つまり、回転軸部３０は引き戸本体１１の開閉方向に長い。
回転軸部３０の左右両端部は長穴２３に回転可能且つ上下移動可能に挿入されている。通常、回転軸部３０の左右両端部は、自重によって長穴２３の下端部に位置し、長穴２３の下端部に受け止められる。つまり、回転軸部３０は、小開口１１１の上下方向の中途に配されている。
【００３０】
回転軸部３０に周方向の外力が加えられた場合、回転軸部３０は周方向に回転する。
回転軸部３０に上方向への外力が加えられた場合、回転軸部３０の左右両端部が長穴２３の内面に案内されつつ、回転軸部３０は長穴２３の内部を上昇する。上方向への外力が失われると、回転軸部３０は下降して長穴２３の下端部に落ちる。回転軸部３０の滑らかな上下移動を実現すべく、回転軸部３０の少なくとも左右両端部と長穴２３の内面との間の摩擦抵抗力は小さくしてある。このために、例えば、回転軸部３０と縦枠２１，２１とを金属製にし、回転軸部３０の周面の摩擦係数と長穴２３の内面の摩擦係数とを夫々小さくすることが考えられる。
【００３１】
以下では、小開口１１１における長穴２３の下端部よりも下側を下側開口１１ａといい、小開口１１１における長穴２３の下端部よりも上側を上側開口１１ｂという。回転軸部３０が長穴２３の下端部に位置している場合、下側開口１１ａは小開口１１１の回転軸部３０よりも下側であり、上側開口１１ｂは小開口１１１の回転軸部３０よりも上側である。下側開口１１ａは、ペットが通行可能なサイズである。上側開口１１ｂは、下側開口１１ａよりも上下方向の長さが短く、ペットは通行不可能である。
【００３２】
第１フラップ３１は、上下左右方向に延びる矩形平板状をなす。第１フラップ３１は引き戸本体１１よりも薄い。第１フラップ３１は、例えば矩形状に切り出されたアクリル板である。
第２フラップ３２は、第１フラップ３１と同様の矩形平板状をなす。ただし、第２フラップ３２の上下方向の長さは第１フラップ３１よりも短い。
第１フラップ３１及び第２フラップ３２は適度の剛性を有しており、弾性又は可撓性等は比較的低い。即ち、第１フラップ３１及び第２フラップ３２は外力に対して変形し難い。
第１フラップ３１の下辺部には図示しない永久磁石が配されている。この永久磁石は、枠体２に配されている永久磁石と引き合う。
【００３３】
連結部３３は、軸嵌合部３３０、第１挟持部３３１、及び第２挟持部３３２を有する。
軸嵌合部３３０は、左右方向に長い円筒状をなす。軸嵌合部３３０は回転軸部３０の左右両端部以外に外嵌めされている。
第１挟持部３３１は軸嵌合部３３０の上部に上向きに突設され、第２挟持部３３２は軸嵌合部３３０の下部に下向きに突設されている。第１挟持部３３１は第１フラップ３１を挟持し、第２挟持部３３２は第２フラップ３２を挟持している。第１フラップ３１（及び第２フラップ３２は、第１挟持部３３１（及び第２挟持部３３２）に対して接着、ビス留め、又はカシメ等によって固定されている。
【００３４】
以上のように、連結部３３は回転軸部３０、第１フラップ３１、及び第２フラップ３２を連結している。この結果、回転軸部３０の回転に伴って、第１フラップ３１は回転軸部３０を中心に前後方向に振り子状に揺動し、第２フラップ３２は回転軸部３０を中心に第１フラップ３１と一体的に前後方向に振り子状に揺動する。また、回転軸部３０の上下移動に伴って、第１フラップ３１及び第２フラップ３２が一体的に上下移動する。
【００３５】
回転軸部３０が長穴２３の下端部に位置している場合、第１フラップ３１は下側開口１１ａを開閉可能に閉鎖し、第２フラップ３２は上側開口１１ｂを開閉可能に閉鎖する。
第１フラップ３１が下側開口１１ａを閉鎖している場合、第２フラップ３２は上側開口１１ｂを閉鎖している。
第１フラップ３１が下側開口１１ａを開放している場合、第２フラップ３２は上側開口１１ｂを開放している。このとき、第１フラップ３１は下側開口１１ａから前側及び後側の何れか一方に突出し、第２フラップ３２は上側開口１１ｂから他方に突出する。
【００３６】
次に、大開口４０について説明する。
図５（及び図６）は、引き戸本体１１が大開口４０を完全に閉鎖（及び開放）している状態を示す断面図である。
図７及び図８は、引き戸本体１１の横移動が強制的に中止させられた状態を示す断面図及び側面図である。図７は図５及び図６に対応し、引き戸本体１１が大開口４０を中途半端に閉鎖している状態を示す。
図５及び図７においては、第１フラップ３１が前側に揺動して下側開口１１ａを開放している場合を示している。このとき、第２フラップ３２は後側に揺動して上側開口１１ｂを開放しているが、図５及び図７における図示は省略している。
【００３７】
大開口４０は、ペット及び人間が通行可能なサイズの矩形状をなす。大開口４０は壁体４に設けられている。本実施の形態における大開口４０の上辺部、下辺部、左辺部、及び右辺部は、図示しない鴨居、敷居４１、建具枠４２、及び中方立４３である。壁体４は袖壁４４を有する。
壁体４は、前側の居住空間Ａと後側の居住空間Ｂとを隔てている。開放された大開口４０は、居住空間Ａ，Ｂを連通する。
引き戸本体１１は中方立４３よりも後側に位置している。大開口４０を完全に開放した引き戸本体１１は、袖壁４４の後面に対面する（図６参照）。このとき、開閉部１３は袖壁４４の後面に対面する。
【００３８】
次に、ペットＰの通行について説明する。
以下では、引き戸本体１１が大開口４０を完全に閉鎖している場合（図５参照）と、引き戸本体１１が大開口４０を中途半端に閉鎖しており、小開口１１１の左右方向の配置位置が中方立４３よりも左側にある場合（図７参照）とを、大開口４０が閉鎖されている、という。
大開口４０が閉鎖されている場合、ペットＰは下側開口１１ａを通して居住空間Ａ，Ｂ間を行き来することが可能である。このとき、第１フラップ３１はペットドアとして機能する。
【００３９】
まず、ペットＰが居住空間Ｂから居住空間Ａへ移動する場合を説明する。
この場合、居住空間ＢにいるペットＰは、第１フラップ３１に向けて移動し、第１フラップ３１の後面を頭で押すことによって、第１フラップ３１を前側へ押し開ける。このとき、下側開口１１ａが開放されるので、ペットＰは下側開口１１ａを通過して居住空間Ａへ移動する（図５参照）。
ペットＰが下側開口１１ａを通行中に、図示しない人間がペットＰに気付かず引き戸本体１１を右方向に横移動させた場合、下側開口１１ａから前側に突出している第１フラップ３１が中方立４３に当接する（図７参照）。この結果、引き戸本体１１の右方向への横移動が強制的に中止される。つまり、第１フラップ３１が引き戸本体１１のストッパとして機能する。故に、ペットＰは安全に下側開口１１ａを通過する。
【００４０】
次に、ペットＰが居住空間Ａから居住空間Ｂへ移動する場合を説明する。
この場合、居住空間ＢにいるペットＰは、第１フラップ３１に向けて移動し、第１フラップ３１の前面を頭で押すことによって、第１フラップ３１を後側へ押し開ける。このとき、下側開口１１ａが開放されるので、ペットＰは下側開口１１ａを通過して居住空間Ａへ移動する。
ペットＰが下側開口１１ａを通行中に、人間がペットＰに気付かず引き戸本体１１を右方向に横移動させた場合、上側開口１１ｂから前側に突出している第２フラップ３２が中方立４３に当接する（図８参照）。この結果、引き戸本体１１の右方向への横移動が強制的に中止される。つまり、第２フラップ３２が引き戸本体１１のストッパとして機能する。故に、ペットＰは安全に下側開口１１ａを通過する。
【００４１】
仮に、第１フラップ３１及び第２フラップ３２が存在しないと、下側開口１１ａを通行中のペットＰは、引き戸本体１１の横移動によって、枠体２の左側の縦枠２１（又は下側開口１１ａの左辺部）と中方立４３との間に挟まれる虞がある。
【００４２】
引き戸本体１１のストッパとして機能するために、第１フラップ３１及び第２フラップ３２は、適度の剛性を有している必要がある。仮に、第１フラップ３１及び第２フラップ３２の弾性又は可撓性等が比較的高いと、中方立４３に当接した際に第１フラップ３１又は第２フラップ３２が自然に変形して引き戸本体１１と中方立４３との間隙に入り込んでしまい、ストッパとしての機能を果たさない虞がある。
【００４３】
とはいえ、小開口１１１は引き戸本体１１の戸先側に配されているので、小開口１１１が引き戸本体１１の戸尻側に配されている場合に比べて、下側開口１１ａから中方立４３までの距離が長い。従って、ペットＰが下側開口１１ａを通行中に人間が誤って引き戸本体１１を横移動させても、第１フラップ３１又は第２フラップ３２が中方立４３に当接する前に、人間がペットＰの存在に気付いて、自分で引き戸本体１１の横移動を停止させることができる。この結果、第１フラップ３１又は第２フラップ３２と中方立４３との当接の機会が減少するので、これらの当接による損傷又は破損等を抑制することができる。
【００４４】
第１フラップ３１の下辺部には永久磁石が配されているので、ペットＰの通過後、第１フラップ３１（及び第２フラップ３２）の揺動は急速に減衰する。更に、第１フラップ３１の永久磁石と枠体２の永久磁石とが引き合うので、第１フラップ３１は下側開口１１ａを速やかに閉鎖し、これに伴って第２フラップ３２が上側開口１１ｂを速やかに閉鎖する。
なお、枠体２が例えば鉄製であれば、枠体２に永久磁石を配する必要はない。
【００４５】
以上のような引き戸装置１が引き違い戸である場合、引き戸装置１は２枚の引き戸本体１１，１１と、引き戸本体１１，１１に２個ずつの引き手１２，１２，…とを備え、引き戸本体１１，１１の一方又は両方に開閉部１３が配される。
この場合、ペットＰが一方の引き戸本体１１における下側開口１１ａを通行中に、人間が一方又は他方の引き戸本体１１を横移動させたとしても、小開口１１１から突出している第１フラップ３１又は第２フラップ３２が他方の引き戸本体１１に当接して引き戸本体１１，１１の相対的な横移動を強制的に中止させる。故に、ペットＰは安全に下側開口１１ａを通過する。
つまり、引き戸装置１が片引き戸であっても引き違い戸であっても、開閉部１３の構成を共通化することができる。
【００４６】
以上のような引き戸装置１においては、第１フラップ３１及び第２フラップ３２夫々が、小開口１１１を開閉可能に閉鎖する機能と引き戸本体１１のストッパとしての機能とを有する。故に、小開口１１１以外にストッパ収納用の開口を引き戸本体１１に設ける必要がない。従って、引き戸装置１は構造が簡易である。また、ストッパを揺動させるための延設軸部を回転軸部３０に設ける必要がない。故に、回転軸部３０は延設軸部が設けられる場合よりも短い。
以上の結果、引き戸装置１は安価に製造することができる。
【００４７】
ところで、図８は、下側開口１１ａを閉鎖している第１フラップ３１及び第２フラップ３２を破線で示し、下側開口１１ａを閉鎖している状態から第１フラップ３１及び第２フラップ３２が40°傾斜した状態を実線で示し、80°傾斜した状態を一点鎖線で示している。
【００４８】
第２フラップ３２の上下方向の長さは、ペットＰが通行中の第２フラップ３２の最小傾斜角度が小さい（０°に近い）場合でも第２フラップ３２が中方立４３に確実に当接するだけの長さを必要とする。そして、最小傾斜角度はペットＰの体格が小さいほど小さい傾向にある。また、引き戸本体１１と中方立４３との前後方向の離隔距離が長いほど、第２フラップ３２の上下方向の長さを長くする必要がある。その一方で、第２フラップ３２の上下方向の長さが長すぎると、上側開口１１ｂが無用に大きくなり、引き戸本体１１の強度が低下する虞がある。故に、引き戸本体１１と中方立４３との前後方向の離隔距離が８mm〜９mmである場合、第２フラップ３２の上下方向の長さは、50mm程度から70mm程度の範囲であることが望ましい。
【００４９】
図９は、扉体３の上下移動を説明する側面図である。図９に示す扉体３には連結部３３を図示していない。
次に、下側開口１１ａを通行中のペットＰが、下側開口１１ａを通過する前に後戻りした場合について説明する。
ペットＰが居住空間Ｂから居住空間Ａへ移動を開始した後で翻意した場合、ペットＰは、第１フラップ３１の後面を頭で押すことによって第１フラップ３１を押し開け、開放された下側開口１１ａに頭をくぐらせた後で、前進から後退に切り替える。このとき、ペットＰは後ずさりして下側開口１１ａから頭を引き抜く。
【００５０】
すると、前側に突出（回転軸部３０から見て前向きの斜め下方向に突出）している第１フラップ３１の下端部が、後側に後戻りしたペットＰに当接する。このとき、ペットＰから第１フラップ３１に、後向きの斜め上方向の外力が加わる。第１フラップ３１は変形し難いので、第１フラップ３１に加えられた外力は連結部３３を介して回転軸部３０に伝わる。後向きの斜め上方向の外力を加えられた回転軸部３０は、長穴２３の内面に案内されて上昇する。この結果、上昇する回転軸部３０と共に第１フラップ３１及び第２フラップ３２が上昇するので、第１フラップ３１からペットＰへの反作用を減少させることができる。故に、第１フラップ３１からの反作用を受けたペットＰが怪我をしたり痛い思いをしたりする虞がない。
【００５１】
ペットＰが居住空間Ａから居住空間Ｂへ移動を開始した後で翻意した場合であっても、ペットＰが居住空間Ｂから居住空間Ａへ移動を開始した後で翻意した場合と同様に、第１フラップ３１からペットＰへの反作用を減少させることができる。何故ならば、後側に突出している第１フラップ３１の下端部が、前側に後戻りしたペットＰに当接することによって、第１フラップ３１及び第２フラップ３２が上昇するからである（例えば図９に二点鎖線で示す位置から実線で示す位置へ）。
なお、回転軸部３０の上昇をスムーズに案内すべく、長穴２３は、下端部から上に向かって幅が拡がるような傾斜面を有する形状であってもよい。
【００５２】
一方、回転軸部３０の無用な上昇を抑制するために、回転軸部３０を例えば鉄製とし、長穴２３の下端部に永久磁石を配しておいてもよい。
回転軸部３０の左右方向両端部又は長穴２３の下端部には、緩衝部材が配されていてもよい。この場合、回転軸部３０の長穴２３の下端部への落下に伴う騒音を減少させることができる。
第１フラップ３１の下端部には緩衝部材が配されていてもよい。この場合、ペットＰに対する第１フラップ３１の下端部の当たりを和らげることができる。
【００５３】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
また、本発明の効果がある限りにおいて、引き戸装置１に、実施の形態に開示されていない構成要素が含まれていてもよい。
【符号の説明】
【００５４】
１      引き戸装置
１１    引き戸本体
１１１  小開口（開口）
１３    開閉部
２      枠体
２３    長穴
３０    回転軸部
３１    第１フラップ
３２    第２フラップ
【図１】
0006662591.tif 000002
【図２】
0006662591.tif 000003
【図３】
0006662591.tif 000004
【図４】
0006662591.tif 000005
【図５】
0006662591.tif 000006
【図６】
0006662591.tif 000007
【図７】
0006662591.tif 000008
【図８】
0006662591.tif 000009
【図９】
0006662591.tif 000010